【手続補正書】
【提出日】平成24年8月3日(2012.8.3)
【手続補正１】
【補正対象書類名】特許請求の範囲
【補正対象項目名】全文
【補正方法】変更
【補正の内容】
【特許請求の範囲】
【請求項１】
第１の記録媒体と該第１の記録媒体とは異なる第２の記録媒体に選択的にデータを記録する記録方法であって、
前記第１の記録媒体は、
記録するクラスタに付加されているクラスタの識別とクラスタ内の位置を示す第１のアドレスが記録される領域と、前記クラスタに同期してデータを記録するトラックにウォブリング重畳されて記録されていて、クラスタの識別とクラスタ内の位置を含む情報を示す第２のアドレスと、前記第１の記録媒体の記録容量に関する情報と、を有し、
前記第１のアドレスは、
実データに付加されて記録されるアドレスであり、
前記第２のアドレスは、
記録媒体における物理的な記録位置を示すアドレスであり、
ディスク情報を含み、かつ、第１の誤り訂正符号が付加されたブロックを複数に分割することにより構成されたデータと、前記第２のアドレスと、でデータ構造が構成され、前記データ構造に第２の誤り訂正符号が付加されることによってコード列が生成され、前記コード列が変調されて前記第１の記録媒体に記録されており、
前記第２の記録媒体は、
前記第１のアドレスが記録される領域と、前記クラスタに同期してデータを記録するトラックにウォブリング重畳されて記録されていて、クラスタの識別とクラスタ内の位置を含む情報を示す第３のアドレスと、前記第２の記録媒体の記録容量に関する情報と、を有し、
前記第３のアドレスは、
ディスク情報を含み、かつ、第１の誤り訂正符号が付加されたブロックを複数に分割することにより構成されたデータと、前記アドレスと、でデータ構造が構成され、前記データ構造に第２の誤り訂正符号が付加されることによってコード列が生成され、前記コード列が変調されて前記第２の記録媒体に記録されており、
記録媒体における物理的な記録位置を示すアドレスであり、
複数の記録層の番号を示す層番号アドレスと、前記複数のクラスタのデータ位置を示すクラスタ番号アドレスと、前記クラスタの物理的な位置を特定するクラスタ内カウント値と、により構成され、
前記第３のアドレスの下位２ビットの規則性の切り替え有無を示し、かつ、前記クラスタ番号アドレスの拡張ビットとして使用され、かつ、記録媒体に記録されない仮想ビットが、該第３のアドレスに仮想的に埋め込まれており、前記下位２ビットの規則性は、インクリメントの繰り返しであるか否かであり、
前記記録方法は、
記録媒体から該記録媒体の記録容量に関する情報を読み取り、
前記記録容量に関する情報に基づいて前記記録媒体が前記第１の記録媒体であるか、前記第２の記録媒体であるか、を判別し、
前記記録媒体が前記第１の記録媒体であった場合、前記第２のアドレスを検出して、データ記録位置を検出し、
前記記録媒体が前記第２の記録媒体であった場合、前記第３のアドレスの下位２ビットがインクリメントの繰り返しであるか否かに基づいて前記仮想ビットを検出し、該仮想ビットと、前記層番号アドレスと、前記クラスタ番号アドレスと、に基づいて、データ記録位置を検出し、
検出された前記データ記録位置にデータを記録することを特徴とする記録方法。
【請求項２】
第１の記録媒体と該第１の記録媒体とは異なる第２の記録媒体に選択的にデータを記録する記録装置であって、
前記第１の記録媒体は、
記録するクラスタに付加されているクラスタの識別とクラスタ内の位置を示す第１のアドレスが記録される領域と、前記クラスタに同期してデータを記録するトラックにウォブリング重畳されて記録されていて、クラスタの識別とクラスタ内の位置を含む情報を示す第２のアドレスと、前記第１の記録媒体の記録容量に関する情報と、を有し、
前記第１のアドレスは、
実データに付加されて記録されるアドレスであり、
前記第２のアドレスは、
記録媒体における物理的な記録位置を示すアドレスであり、
ディスク情報を含み、かつ、第１の誤り訂正符号が付加されたブロックを複数に分割することにより構成されたデータと、前記第２のアドレスと、でデータ構造が構成され、前記データ構造に第２の誤り訂正符号が付加されることによってコード列が生成され、前記コード列が変調されて前記第１の記録媒体に記録されており、
前記第２の記録媒体は、
前記第１のアドレスが記録される領域と、前記クラスタに同期してデータを記録するトラックにウォブリング重畳されて記録されていて、クラスタの識別とクラスタ内の位置を含む情報を示す第３のアドレスと、前記第２の記録媒体の記録容量に関する情報と、を有し、
前記第３のアドレスは、
ディスク情報を含み、かつ、第１の誤り訂正符号が付加されたブロックを複数に分割することにより構成されたデータと、前記アドレスと、でデータ構造が構成され、前記データ構造に第２の誤り訂正符号が付加されることによってコード列が生成され、前記コード列が変調されて前記第２の記録媒体に記録されており、
記録媒体における物理的な記録位置を示すアドレスであり、
複数の記録層の番号を示す層番号アドレスと、前記複数のクラスタのデータ位置を示すクラスタ番号アドレスと、前記クラスタの物理的な位置を特定するクラスタ内カウント値と、により構成され、
前記第３のアドレスの下位２ビットの規則性の切り替え有無を示し、かつ、前記クラスタ番号アドレスの拡張ビットとして使用され、かつ、記録媒体に記録されない仮想ビットが、該第３のアドレスに仮想的に埋め込まれており、前記下位２ビットの規則性は、インクリメントの繰り返しであるか否かであり、
前記記録装置は、
記録媒体から該記録媒体の記録容量に関する情報を読み取るピックアップと、
前記記録容量に関する情報に基づいて前記記録媒体が前記第１の記録媒体であるか、前記第２の記録媒体であるか、を判別する制御回路と、
前記記録媒体が前記第１の記録媒体であった場合、前記第２のアドレスを検出して、データ記録位置を検出する第１のアドレス検出回路と、
前記記録媒体が前記第２の記録媒体であった場合、前記第３のアドレスの下位２ビットがインクリメントの繰り返しであるか否かに基づいて前記仮想ビットを検出し、該仮想ビットと、前記層番号アドレスと、前記クラスタ番号アドレスと、に基づいて、データ記録位置を検出する第２のアドレス検出回路と、
検出された前記データ記録位置にデータを記録するデータ記録回路と、
を有することを特徴とする記録装置。
【請求項３】
第１の記録媒体と該第１の記録媒体とは異なる第２の記録媒体から選択的にデータを再生する再生方法であって、
前記第１の記録媒体は、
記録するクラスタに付加されているクラスタの識別とクラスタ内の位置を示す第１のアドレスが記録される領域と、前記クラスタに同期してデータを記録するトラックにウォブリング重畳されて記録されていて、クラスタの識別とクラスタ内の位置を含む情報を示す第２のアドレスと、前記第１の記録媒体の記録容量に関する情報と、を有し、
前記第１のアドレスは、
実データに付加されて記録されるアドレスであり、
前記第２のアドレスは、
記録媒体における物理的な記録位置を示すアドレスであり、
ディスク情報を含み、かつ、第１の誤り訂正符号が付加されたブロックを複数に分割することにより構成されたデータと、前記第２のアドレスと、でデータ構造が構成され、前記データ構造に第２の誤り訂正符号が付加されることによってコード列が生成され、前記コード列が変調されて前記第１の記録媒体に記録されており、
前記第２の記録媒体は、
前記第１のアドレスが記録される領域と、前記クラスタに同期してデータを記録するトラックにウォブリング重畳されて記録されていて、クラスタの識別とクラスタ内の位置を含む情報を示す第３のアドレスと、前記第２の記録媒体の記録容量に関する情報と、を有し、
前記第３のアドレスは、
ディスク情報を含み、かつ、第１の誤り訂正符号が付加されたブロックを複数に分割することにより構成されたデータと、前記アドレスと、でデータ構造が構成され、前記データ構造に第２の誤り訂正符号が付加されることによってコード列が生成され、前記コード列が変調されて前記第２の記録媒体に記録されており、
記録媒体における物理的な記録位置を示すアドレスであり、
複数の記録層の番号を示す層番号アドレスと、前記複数のクラスタのデータ位置を示すクラスタ番号アドレスと、前記クラスタの物理的な位置を特定するクラスタ内カウント値と、により構成され、
前記第３のアドレスの下位２ビットの規則性の切り替え有無を示し、かつ、前記クラスタ番号アドレスの拡張ビットとして使用され、かつ、記録媒体に記録されない仮想ビットが、該第３のアドレスに仮想的に埋め込まれており、前記下位２ビットの規則性は、インクリメントの繰り返しであるか否かであり、
前記再生方法は、
記録媒体から該記録媒体の記録容量に関する情報を読み取り、
前記記録容量に関する情報に基づいて前記記録媒体が前記第１の記録媒体であるか、前記第２の記録媒体であるか、を判別し、
前記記録媒体が前記第１の記録媒体であった場合、前記第２のアドレスを検出して、データ記録位置を検出し、
前記記録媒体が前記第２の記録媒体であった場合、前記第３のアドレスの下位２ビットがインクリメントの繰り返しであるか否かに基づいて前記仮想ビットを検出し、該仮想ビットと、前記層番号アドレスと、前記クラスタ番号アドレスと、に基づいて、データ記録位置を検出し、
検出された前記データ記録位置からデータを再生することを特徴とする再生方法。
【請求項４】
第１の記録媒体と該第１の記録媒体とは異なる第２の記録媒体から選択的にデータを再生する再生装置であって、
前記第１の記録媒体は、
記録するクラスタに付加されているクラスタの識別とクラスタ内の位置を示す第１のアドレスが記録される領域と、前記クラスタに同期してデータを記録するトラックにウォブリング重畳されて記録されていて、クラスタの識別とクラスタ内の位置を含む情報を示す第２のアドレスと、前記第１の記録媒体の記録容量に関する情報と、を有し、
前記第１のアドレスは、
実データに付加されて記録されるアドレスであり、
前記第２のアドレスは、
記録媒体における物理的な記録位置を示すアドレスであり、
ディスク情報を含み、かつ、第１の誤り訂正符号が付加されたブロックを複数に分割することにより構成されたデータと、前記第２のアドレスと、でデータ構造が構成され、前記データ構造に第２の誤り訂正符号が付加されることによってコード列が生成され、前記コード列が変調されて前記第１の記録媒体に記録されており、
前記第２の記録媒体は、
前記第１のアドレスが記録される領域と、前記クラスタに同期してデータを記録するトラックにウォブリング重畳されて記録されていて、クラスタの識別とクラスタ内の位置を含む情報を示す第３のアドレスと、前記第２の記録媒体の記録容量に関する情報と、を有し、
前記第３のアドレスは、
ディスク情報を含み、かつ、第１の誤り訂正符号が付加されたブロックを複数に分割することにより構成されたデータと、前記アドレスと、でデータ構造が構成され、前記データ構造に第２の誤り訂正符号が付加されることによってコード列が生成され、前記コード列が変調されて前記第２の記録媒体に記録されており、
記録媒体における物理的な記録位置を示すアドレスであり、
複数の記録層の番号を示す層番号アドレスと、前記複数のクラスタのデータ位置を示すクラスタ番号アドレスと、前記クラスタの物理的な位置を特定するクラスタ内カウント値と、により構成され、
前記第３のアドレスの下位２ビットの規則性の切り替え有無を示し、かつ、前記クラスタ番号アドレスの拡張ビットとして使用され、かつ、記録媒体に記録されない仮想ビットが、該第３のアドレスに仮想的に埋め込まれており、前記下位２ビットの規則性は、インクリメントの繰り返しであるか否かであり、
前記再生装置は、
記録媒体から該記録媒体の記録容量に関する情報を読み取るピックアップと、
前記記録容量に関する情報に基づいて前記記録媒体が前記第１の記録媒体であるか、前記第２の記録媒体であるか、を判別する制御回路と、
前記記録媒体が前記第１の記録媒体であった場合、前記第２のアドレスを検出して、データ記録位置を検出する第１のアドレス検出回路と、
前記記録媒体が前記第２の記録媒体であった場合、前記第３のアドレスの下位２ビットがインクリメントの繰り返しであるか否かに基づいて前記仮想ビットを検出し、該仮想ビットと、前記層番号アドレスと、前記クラスタ番号アドレスと、に基づいて、データ記録位置を検出する第２のアドレス検出回路と、
検出された前記データ記録位置からデータを再生するデータ再生回路と、を有することを特徴とする再生装置。
【請求項５】
データを記録する複数のクラスタを記録する領域を有する記録層を複数層備えた記録媒体におけるアドレスの記録方法であって、
記録するクラスタに付加され、かつ、クラスタの識別とクラスタ内の位置を示す第１のアドレスが記録される領域を設け、
前記クラスタに同期してデータを記録するトラックにウォブリング重畳して前記クラスタの識別と前記クラスタ内の位置を含む情報を示す第２のアドレスまたは第３のアドレスを、前記記録媒体の層数または記録密度に基づいて選択的に記録し、
前記第１のアドレスは、実データに付加して記録されるアドレスであり、
前記第２のアドレスは、記録媒体における物理的な記録位置を示すアドレスであり、
前記第３のアドレスは、記録媒体における物理的な記録位置を示すアドレスであり、複数の記録層の番号を示す層番号アドレスと、前記複数のクラスタのデータ位置を示すクラスタ番号アドレスと、前記クラスタの物理的な位置を特定するクラスタ内カウント値と、により構成され、前記第３のアドレスの下位２ビットの規則性の切り替え有無を示し、かつ、前記クラスタ番号アドレスの拡張ビットとして使用され、かつ、記録媒体に記録されない仮想ビットが、該第３のアドレスに仮想的に埋め込まれており、前記下位２ビットの規則性は、インクリメントの繰り返しであるか否かであることを特徴とするアドレスの記録方法。